(57)【特許請求の範囲】
【請求項１】
前面が開口する貯蔵室（３）に、温蔵と冷蔵に切り換え可能な温冷陳列部（１６）が設けられており、
貯蔵室（３）の下部前端に設けられた吸込口（５）から、貯蔵室（３）の上部前端に設けられた吹出口（６）にわたって、ダクト（４）が形成されており、
貯蔵室（３）とダクト（４）を前後に隔てる背面板（２ａ）に、ダンパー（３７）で開閉される冷気窓（３８）が形成されており、
冷蔵状態の温冷陳列部（１６）の前面に、吹出口（６）あるいは冷気窓（３８）から吹き出された冷気によるエアカーテンが形成されるショーケースであって、
温冷陳列部（１６）の棚板（１８）の前端部に、該陳列部（１６）の温度状態を表示する温冷表示板（２１）が着脱自在に装着されており、
温冷表示板（２１）は左右横長の帯板状に形成されて、その表裏に温蔵表示（２５）と冷蔵表示（２６）が設けられており、
温冷表示板（２１）のいずれか一方の長辺部（２１ａ）に連続して風向板（２７）が設けられており、
温冷表示板（２１）の温蔵表示（２５）を前面に向けた状態において、風向板（２７）が棚板（１８）の下面に突出して、冷気窓（３８）から前向きに吹き出される冷気を下向きに変向案内することを特徴とするショーケース。
【請求項２】
温冷表示板（２１）の温蔵表示（２５）と冷蔵表示（２６）が上下逆さまに表示されており、
温蔵表示（２５）を前面に向けた状態においては、風向板（２７）が温冷表示板（２１）の下側に位置して棚板（１８）の下面に突出し、
冷蔵表示（２６）を前面に向けた状態においては、風向板（２７）が温冷表示板（２１）の上側に位置する請求項１に記載のショーケース。
【請求項３】
温冷表示板（２１）が、棚板（１８）の前端部に設けられた装着溝（３３）に上方から挿入されて、装着溝（３３）の溝底で支持されており、
装着溝（３３）の溝底に、風向板（２７）の挿通を許すスリット（３４）が形成されており、
温冷表示板（２１）の温蔵表示（２５）を前面に向けた状態においては、風向板（２７）がスリット（３４）より下方へ突出して、温冷表示板（２１）の前記一方の長辺部（２１ａ）が装着溝（３３）の溝底で受け止められており、
温冷表示板（２１）の冷蔵表示（２６）を前面に向けた状態においては、温冷表示板（２１）の他方の長辺部（２１ｂ）が装着溝（３３）の溝底で受け止められる請求項２に記載のショーケース。
【請求項４】
温冷表示板（２１）の左右長さが風向板（２７）の左右長さより大きく設定されて、温冷表示板（２１）の左右両端に左右方向の突出部（２８）が形成されており、
温冷表示板（２１）が装着溝（３３）に挿入された状態において、左右の突出部（２８）が装着溝（３３）の溝底で受け止められる請求項３に記載のショーケース。
【請求項５】
装着溝（３３）の前面が、透明材からなる前壁（３２）で区画されている請求項３または４に記載のショーケース。
【請求項６】
風向板（２７）が冷気窓（３８）よりも左右方向に長く形成されて、左右方向において風向板（２７）が冷気窓（３８）の全長にわたって重なっている請求項１から５のいずれかに記載のショーケース。
【発明の詳細な説明】
【技術分野】
【０００１】
本発明は、温蔵と冷蔵に切り換え可能な温冷陳列部を備える多段式のショーケースに関する。本発明において温蔵とは、ヒータ等を用いた加熱状態での貯蔵と、常温（ショーケースが設置される店舗等の室温）による貯蔵とを含むものとする。
【背景技術】
【０００２】
この種のショーケースは、例えば特許文献１に公知である。そこでは、前面が開口した貯蔵室内に、温蔵と冷蔵に切り換え可能な上下３段の陳列部が設けてある。温蔵状態における陳列部はヒータで加熱され、冷蔵状態における陳列部は、その前面に形成される冷気のエアカーテンで冷却される。具体的には、上段および中段の陳列部の下面に、前端に開口を有する棚下部ダクトが形成されており、各棚下部ダクトの後端は、ダンパーで開閉される冷気吹出口を介して、背面板の後方の冷気ダクトに連通している。上段側および中段側の冷気吹出口をダンパーで閉塞すると、冷気を貯蔵室の上端の冷気吹出部へ導いて、全陳列部の前面に冷気のエアカーテンを形成できる。上段側の冷気吹出口を開放すると、冷気を上段側の棚下部ダクトへ導いて、中段陳列部と下段陳列部の前面に冷気のエアカーテンを形成できる。中段側の冷気吹出口を開放すると、冷気を中段側の棚下部ダクトへ導いて、下段陳列部の前面に冷気のエアカーテンを形成できる。
【０００３】
本発明では、陳列部の棚板の前端部に風向板を配置し、棚板の下面に沿って前向きに流れる冷気を下向きに変向して、当該棚板の下方に冷気のエアカーテンを形成するが、この種の風向板に関しては特許文献２が公知である。そこでは、風向板が棚板の前面下部に回動自在に軸着してあり、風向板を上方へ跳ね上げることが可能となっている。風向板を上方へ跳ね上げると、当該風向板が軸着された棚板の直下の棚板を前方へ引き出す際に、当該棚板上に陳列された商品が風向板にぶつかるのを解消して、棚板をスムーズに引き出すことができる。また、特許文献２の図面に示すように、ショーケースの各陳列部の前端部には、該陳列部の温度状態を示す表示体が装着してある。
【先行技術文献】
【特許文献】
【０００４】
【特許文献１】特開２００４−１２０２１号公報（段落番号００１３〜００１６、図４〜図７）
【特許文献２】特開２００４−３３７２２９号公報（段落番号００１５〜００１８、図２、図３）
【発明の概要】
【発明が解決しようとする課題】
【０００５】
特許文献１のショーケースでは、陳列部の下面に設けた棚下部ダクトを利用して冷気のエアカーテンを形成するので、同ダクトを設ける分だけ貯蔵室の容量が低下する不利がある。一方、特許文献２のショーケースでは、棚板の下面に沿って前向きに吹き出す冷気を風向板で下向きに変向してエアカーテンを形成するので、棚下部ダクトを省略でき、その分だけ貯蔵室の容量を増加させることができる。また、全陳列部の前面にエアカーテンを形成する場合など、風向板が不要になる場合には、風向板を上方へ跳ね上げておくことにより、風向板が棚板の引き出しの妨げになるのを解消することができる。
【０００６】
しかし、特許文献２のショーケースでは、棚板の前端部に風向板を軸着し、さらに陳列部の温度状態を示す表示体を棚板の前端部に装着するので、棚板の前端部の構造が複雑化する不利がある。また、陳列部の温蔵と冷蔵を切り換える際に、風向板の位置を変更し、さらに表示体の表示内容を変更する必要があり、この一連の作業に手間が掛かる不利がある。
【０００７】
本発明の目的は、温蔵と冷蔵に切り換え可能な温冷陳列部を備える多段式のショーケースにおいて、棚板の前端部の構造を簡素化し、さらに、陳列部の温度状態の切り換えに付随する作業の手間を削減することにある。
【課題を解決するための手段】
【０００８】
本発明に係るショーケースにおいては、前面が開口する貯蔵室３に、温蔵と冷蔵に切り換え可能な温冷陳列部１６を設ける。貯蔵室３の下部前端に設けられた吸込口５から、貯蔵室３の上部前端に設けられた吹出口６にわたって、ダクト４を形成する。貯蔵室３とダクト４を前後に隔てる背面板２ａに、ダンパー３７で開閉される冷気窓３８を形成する。冷蔵状態の温冷陳列部１６の前面に、吹出口６あるいは冷気窓３８から吹き出された冷気によるエアカーテンを形成する。温冷陳列部１６の棚板１８の前端部に、該陳列部１６の温度状態を表示する温冷表示板２１を着脱自在に装着する。温冷表示板２１を左右横長の帯板状に形成し、その表裏に温蔵表示２５と冷蔵表示２６を設ける。温冷表示板２１のいずれか一方の長辺部２１ａに連続して風向板２７を設ける。温冷表示板２１の温蔵表示２５を前面に向けた状態において、風向板２７が棚板１８の下面に突出して、冷気窓３８から前向きに吹き出される冷気を下向きに変向案内することを特徴とする。温冷表示板２１の冷蔵表示２６を前面に向けた状態においては、風向板２７を棚板１８の下面に突出させてもよく、また突出させなくてもよい。
【０００９】
より好ましくは、温冷表示板２１の温蔵表示２５と冷蔵表示２６を上下逆さまに表示する。温蔵表示２５を前面に向けた状態においては、風向板２７が温冷表示板２１の下側に位置して棚板１８の下面に突出する。冷蔵表示２６を前面に向けた状態においては、風向板２７が温冷表示板２１の上側に位置する。
【００１０】
温冷表示板２１を、棚板１８の前端部に設けられた装着溝３３に上方から挿入して、装着溝３３の溝底で支持する。装着溝３３の溝底に、風向板２７の挿通を許すスリット３４を形成する。温冷表示板２１の温蔵表示２５を前面に向けた状態においては、風向板２７がスリット３４より下方へ突出して、温冷表示板２１の前記一方の長辺部２１ａが装着溝３３の溝底で受け止められる。温冷表示板２１の冷蔵表示２６を前面に向けた状態においては、温冷表示板２１の他方の長辺部２１ｂが装着溝３３の溝底で受け止められる。
【００１１】
温冷表示板２１の左右長さを風向板２７の左右長さより大きく設定して、温冷表示板２１の左右両端に左右方向の突出部２８を形成する。温冷表示板２１を装着溝３３に挿入した状態において、左右の突出部２８を装着溝３３の溝底で受け止める。
【００１２】
装着溝３３の前面を、透明材からなる前壁３２で区画する。
【００１３】
風向板２７を冷気窓３８よりも左右方向に長く形成して、左右方向において風向板２７が冷気窓３８の全長にわたって重なるようにする。
【発明の効果】
【００１４】
本発明に係るショーケースでは、温冷陳列部１６の棚板１８の前端部に温冷表示板２１を着脱自在に装着し、温冷表示板２１の一方の長辺部２１ａに連続して風向板２７を設けた。風向板２７は、温冷表示板２１の温蔵表示２５を前面に向けた状態において、棚板１８の下面に突出して、冷気窓３８から前向きに吹き出される冷気を下向きに変向案内する。これにより、冷気が貯蔵室３の前面開口から外方へ漏れ出ることを防ぐとともに、当該棚板１８の下方における冷気のエアカーテンの形成を補助することができる。本発明のように温冷表示板２１の長辺部２１ａに連続して風向板２７を設けると、両者２１・２７を１つの支持構造で支持することができるので、両者２１・２７を別体とする場合に比べて、棚板１８の前端部の構造を簡素化してコストを削減することができる。
【００１５】
温冷表示板２１の温蔵表示２５と冷蔵表示２６を上下逆さまに表示し、温蔵表示２５を前面に向けた状態では風向板２７を温冷表示板２１の下側に位置させ、冷蔵表示２６を前面に向けた状態では風向板２７を温冷表示板２１の上側に位置させることができる。つまり、温冷陳列部１６を温蔵用として使用する場合は、温蔵表示２５を前面に向けて風向板２７を温冷表示板２１の下側に位置させ、風向板２７を棚板１８の下面に突出させてその機能を発揮させる。一方、温冷陳列部１６を冷蔵用として使用する場合は、冷蔵表示２６を前面に向けて風向板２７を温冷表示板２１の上側に位置させる。この状態では風向板２７がその機能を発揮しないが、このとき冷気は冷蔵用の温冷陳列部１６よりも上方の冷気窓３８あるいは吹出口６から吹き出すため、冷蔵用の温冷陳列部１６の風向板２７がその機能を発揮する必要は無い。むしろ、風向板２７が棚板１８の下面に突出しないことで、当該棚板１８の直下の棚板１８を前方へ引き出す際に、引き出す棚板１８上の商品が風向板２７にぶつからないという有利な効果を奏する。
【００１６】
温冷表示板２１を、棚板１８の前端部に設けた装着溝３３に上方から挿入して、装着溝３３の溝底で支持する。温蔵表示２５を前面に向けた状態においては、風向板２７が装着溝３３の溝底のスリット３４より下方へ突出して、温冷表示板２１の一方の長辺部２１ａが装着溝３３の溝底で受け止められる。冷蔵表示２６を前面に向けた状態においては、温冷表示板２１の他方の長辺部２１ｂが装着溝３３の溝底で受け止められる。以上の構成によれば、温冷表示板２１を装着溝３３から上方へ抜き出し、その前後および上下を反転させ、装着溝３３に再び差し込むだけの簡単な作業で、温冷表示板２１の前面側の表示内容と、風向板２７のスリット３４からの突出の有無を同時に変更できる。従って、温冷表示板の表示内容と風向板の位置を個別に行う必要があった従来のショーケースに比べて、温冷陳列部１６の温度状態の切り換えに付随する作業の手間を削減できる。
【００１７】
温冷表示板２１の左右長さを風向板２７の左右長さより大きく設定して、温冷表示板２１の左右両端に、装着溝３３の溝底で受け止められる突出部２８を設けると、同じ目的の突出部を温冷表示板２１の前後面に設ける場合に比べて、同前後面に設けられる温蔵表示２５および冷蔵表示２６の見栄えを良くすることができる。複数枚の温冷表示板２１を前後に重ねた場合に嵩張らない点でも有利である。
【００１８】
装着溝３３の前面を区画する前壁３２を設けると、温冷表示板２１の前面を前壁３２で支持して、温冷表示板２１の装着溝３３からの脱落を確実に防止できる。前壁３２は透明材からなるため、温冷表示板２１の温蔵表示２５や冷蔵表示２６が前壁３２で遮蔽されることはない。
【００１９】
風向板２７を冷気窓３８よりも左右方向に長く形成し、左右方向において風向板２７が冷気窓３８の全長にわたって重なるようにすると、冷気窓３８の左右中央部から吹き出される冷気だけでなく、冷気窓３８の左右両端部から吹き出される冷気も、風向板２７で受け止めて下向きに変向することができる。従って、冷気窓３８から吹き出される冷気が貯蔵室３の外方へ漏れ出ることをより抑制して、冷蔵状態の温冷陳列部１６を効果的に冷却できる。
【図面の簡単な説明】
【００２０】
【図１】本発明の第１実施例に係るショーケースの１つの使用状態を示す要部の縦断側面図である。
【図２】第１実施例に係るショーケースの全体を示す縦断側面図である。
【図３】第１実施例に係るショーケースの要部の正面図である。
【図４】第１実施例に係る温冷表示板の斜視図である。
【図５】第１実施例に係る温冷陳列部の前端部の縦断側面図である。
【図６】第１実施例に係る冷気ダクトとその周辺構造の縦断側面図である。
【図７】第１実施例に係るダンパーの斜視図である。
【図８】図６におけるＡ−Ａ線断面図である。
【図９】図６におけるＢ−Ｂ線断面図である。
【図１０】第１実施例に係るショーケースの別の使用状態を示す要部の縦断側面図である。
【図１１】本発明の第２実施例に係る温冷表示板の要部の斜視図である。
【図１２】第２実施例に係る温冷表示板を装着した状態を示す図である。
【図１３】本発明の第３実施例に係る温冷表示板の要部の斜視図である。
【図１４】第３実施例に係る温冷表示板を装着した状態を示す図である。
【図１５】本発明の第４実施例に係る温冷表示板と支持枠の要部の斜視図である。
【図１６】第４実施例に係る温冷表示板を装着した状態を示す図である。
【図１７】本発明の別実施例に係るショーケースの全体を示す縦断側面図である。
【発明を実施するための形態】
【００２１】
（第１実施例）  図１ないし図１０は、本発明に係るショーケースの第１実施例を示す。本実施例における前後、左右、上下とは、図２および図３に示す交差矢印と、各矢印の近傍に表記した前後、左右、上下の表示に従う。図２においてショーケースは、断熱壁で形成された本体ケース１と、本体ケース１の内側に配置された内パネル２とを備えており、内パネル２で貯蔵室３が区画され、内パネル２と本体ケース１の間にダクト４が区画されている。内パネル２は背面板２ａと天面板と底面板で側面視略コ字状に形成される。ダクト４は、貯蔵室３の下部前端に設けられた吸込口５から、貯蔵室３の上部前端に設けられた吹出口６にわたって形成してある。
【００２２】
ダクト４には蒸発器９と循環ファン１０が配置されている。詳しくは、内パネル２の背面板２ａの後方下部に蒸発器９が配置され、内パネル２の底面板の下方に循環ファン１０が配置されている。循環ファン１０を駆動すると、ダクト４内を吸込口５から吹出口６へ向かう空気の流れが形成される。本体ケース１の底壁の下面側には、冷凍ユニット１１を収容する機械室１２が形成してある。冷凍ユニット１１は、蒸発器９と共に冷凍サイクルを構成する圧縮機および凝縮器と、凝縮器を冷却するための冷却ファンなどを含んで構成される。
【００２３】
前面に開口を有する貯蔵室３には、温蔵と冷蔵に切り換え可能な上下４段の温冷陳列部１６が設けてある。本実施例に係るショーケースは、全段を冷蔵用として使用する第１使用状態と、上側１段（第１陳列部１６Ａ）を温蔵用、下側３段（第２陳列部１６Ｂ〜第４陳列部１６Ｄ）を冷蔵用として使用する第２使用状態と、上側２段（第１陳列部１６Ａ・第２陳列部１６Ｂ）を温蔵用、下側２段（第３陳列部１６Ｃ・第４陳列部１６Ｄ）を冷蔵用として使用する第３使用状態と、全段を温蔵用として使用する第４使用状態とに変更することができる。図２および図３において各温冷陳列部１６は、商品が陳列される棚板１８と、棚板１８を前方へ引き出し可能に支持する左右一対の棚ブラケット１９と、棚板１８に内蔵されて温蔵時に通電されるヒータ２０と、当該陳列部１６の温度状態を表示する温冷表示板２１などで構成される。温冷表示板２１は棚板１８の前端部に着脱自在に装着される。
【００２４】
図３および図４において温冷表示板２１は、左右横長の帯板状に形成してあり、その表裏に温蔵表示２５と冷蔵表示２６が設けてある。これら表示２５・２６の一方を前面に向けて棚板１８の前端部に装着することにより、当該棚板１８上に陳列された商品が温蔵（ＨＯＴ）状態であるか、冷蔵（ＣＯＬＤ）状態であるかを表示することができる。本実施例では、温冷表示板２１の一方の長辺部２１ａに連続して風向板２７を一体に設けた。温蔵表示２５と冷蔵表示２６は上下逆さまに表示されており、温蔵表示２５を前面に向けた状態では風向板２７が温冷表示板２１の下側に位置し、冷蔵表示２６を前面に向けた状態では風向板２７が温冷表示板２１の上側に位置する。温冷表示板２１の左右長さは風向板２７の左右長さより大きく設定されて、温冷表示板２１の左右両端には左右方向の突出部２８が形成される。温冷表示板２１と風向板２７の前後厚み寸法は等しく、両者２１・２７の前後面はそれぞれ面一状に形成してある。
【００２５】
図３および図５において棚板１８は、ヒータ２０を内蔵する中空状の水平板からなる棚板本体２９と、棚板本体２９の前端部に固定された支持枠３０とを備える。支持枠３０は、下壁３１と前壁３２を一体に備えた断面Ｌ字状の枠体からなり、下壁３１の後側の過半部が棚板本体２９の下面に固定されて、前壁３２と棚板本体２９の前面の間に温冷表示板２１用の装着溝３３が形成されている。温冷表示板２１は装着溝３３に上方から挿入されて、装着溝３３の溝底を構成する下壁３１の前端部で支持される。また下壁３１の前端部には、先の風向板２７の挿通を許すスリット３４が形成してある。スリット３４の左右寸法は、風向板２７の左右寸法より僅かに大きく、かつ、温冷表示板２１の左右寸法より小さく設定してある。支持枠３０は、温冷表示板２１の表示２５・２６の透視を可能とする透明材で形成してある。
【００２６】
温蔵表示２５を前面に向けた温冷表示板２１を装着溝３３に挿入すると、図３および図５（ａ）に示すように、風向板２７がスリット３４から棚板１８の下面に突出して、温冷表示板２１の左右両側の突出部２８が、温冷表示板２１の一方の長辺部２１ａの側において、スリット３４の左右の下壁３１で受け止められる。一方、冷蔵表示２６を前面に向けた温冷表示板２１を装着溝３３に挿入すると、図３および図５（ｂ）に示すように、温冷表示板２１の左右両側の突出部２８が、温冷表示板２１の他方の長辺部２１ｂの側において、スリット３４の左右の下壁３１で受け止められる。このとき風向板２７は温冷表示板２１の上側に位置する。風向板２７の作用については後述する。
【００２７】
図３および図６において背面板２ａには、ダンパー３７で開閉される上下２個の冷気窓３８が形成してある。各冷気窓３８は左右横長の矩形状に形成してあり、その左右寸法は風向板２７の左右寸法よりも小さく設定してある。そのため、左右方向において風向板２７が冷気窓３８の全長にわたって重なっている。上側の冷気窓３８は、第１陳列部１６Ａの左右の棚ブラケット１９の間に配置されて、当該陳列部１６Ａの棚板１８の下面に臨んでいる。下側の冷気窓３８は、第２陳列部１６Ｂの左右の棚ブラケット１９の間に配置されて、当該陳列部１６Ｂの棚板１８の下面に臨んでいる。また背面板２ａには、一群の長穴状の吹出穴が形成してある。吹出穴は背面板２ａの主に左右端寄りに配置されて、冷蔵時における温冷陳列部１６の温度むらを解消する。
【００２８】
図６においてダンパー３７は、冷気窓３８を閉塞してダクト４を開放する起立姿勢（下側のダンパー３７参照）と、冷気窓３８を開放してダクト４を閉塞する傾倒姿勢（上側のダンパー３７参照）との間で姿勢変更可能に支持される。図６および図７においてダンパー３７は、冷気窓３８あるいはダクト４を閉塞する左右横長の閉塞板４１と、ダンパー３７の姿勢を変更操作するための操作片４２と、多数の通風口４４が左右方向に列設された通風板４３と、後述の支軸５４で支持される左右一対の軸受片４５と、閉塞板４１の下面の後端部に設けられた磁石４６などで構成される。
【００２９】
閉塞板４１は、背面板２ａの後面側に配置されてダクト４内を前後傾動する。図６の下側に示すように、起立姿勢における閉塞板４１は、背面板２ａと平行な姿勢で背面板２ａの後面に接触し、冷気窓３８を後方から閉塞する。図６の上側に示すように、傾倒姿勢における閉塞板４１は、ダクト４の後面に突設された支持片５０で支持されて、ダクト４を閉塞する。このとき、閉塞板４１の下面の磁石４６が支持片５０に磁気吸着することにより、傾倒姿勢におけるダンパー３７のがたつきが規制される。
【００３０】
操作片４２は、閉塞板４１の下端に連続して形成されて、冷気窓３８を介して前方、すなわち貯蔵室３内へ突出している。通風板４３は、閉塞板４１の下端から操作片４２とほぼ逆向きに伸びており、ダンパー３７の起立姿勢においてはダクト４内に位置し、傾倒姿勢においては冷気窓３８内に位置する。通風板４３の左右寸法は冷気窓３８の左右寸法よりも小さく設定されて、通風板４３の左右両側にはそれぞれ通風隙間５１が形成される（図８参照）。従って、ダンパー３７を傾倒させると、ダクト４を上昇して閉塞板４１でせき止められた冷気が、通風板４３の各通風口４４および左右両側の通風隙間５１から貯蔵室３へ吹き出す。
【００３１】
軸受片４５は、閉塞板４１の左右縁の下部から後方へ折り曲げ形成してある。各軸受片４５には、起立姿勢において上下方向に長い長穴状の軸受穴５３が形成してある。各軸受穴５３には支軸５４が挿通されており、これら左右一対の支軸５４によりダンパー３７が起立姿勢と傾倒姿勢の間で姿勢変更可能に支持される。図９において支軸５４は、軸受穴５３内に配置される軸部５５の左右に、軸部５５よりも大径の頭部５６と小径のねじ部５７が設けられたビスからなる。背面板２ａの後面側において冷気窓３８の左右両側には、背面板２ａに直交する縦板５８が設けられている。左右の軸受片４５の軸受穴５３に支軸５４を挿通し、ねじ部５７を縦板５８にねじ込むことにより、ダンパー３７が縦板５８に取り付けられている。
【００３２】
図６の下側に示す起立姿勢のダンパー３７の操作片４２に指を引っ掛け押し上げると、ダンパー３７は軸受穴５３と支軸５４により上方へスライド案内され、支軸５４が軸受穴５３の下端に達したところで、ダンパー３７が支軸５４のまわりに後方へ揺動し、閉塞板４１が支持片５０で支持される傾斜姿勢になる。図６の上側に示す傾斜姿勢のダンパー３７の操作片４２に指を引っ掛け押し下げると、ダンパー３７は支軸５４のまわりに前方へ揺動し、閉塞板４１が背面板２ａに接触する。次いでダンパー３７は、軸受穴５３と支軸５４により下方へスライド案内され、支軸５４が軸受穴５３の上端に達して起立姿勢となる。
【００３３】
次に、本実施例に係るショーケースの各使用状態について説明する。
（第１使用状態）  全陳列部１６Ａ〜１６Ｄを冷蔵用として使用する第１使用状態では、図２に示すように各陳列部１６Ａ〜１６Ｄの温冷表示板２１を、冷蔵表示２６を前面に向けて装着するとともに、上下の冷気窓３８をダンパー３７で閉塞し、ダクト４を上下方向の全長にわたって連通させる。冷凍サイクルおよび循環ファン１０を駆動すると、蒸発器９で冷却された冷気が吹出口６から吸込口５へ下向きに吹き出されて、貯蔵室３内の全陳列部１６Ａ〜１６Ｄの前面に冷気のエアカーテンが形成される。第１使用状態では、全陳列部１６Ａ〜１６Ｄの風向板２７が温冷表示板２１の上側に位置するので、各陳列部１６Ａ〜１６Ｄの棚板１８上に比較的背の高い商品（例えば、５００ｍＬの冷蔵用ペットボトル飲料）を陳列しても、棚板１８を前方へ引き出す際に商品が風向板２７にぶつかることはない。
【００３４】
（第２使用状態）  第１陳列部１６Ａを温蔵用、第２陳列部１６Ｂ〜第４陳列部１６Ｄを冷蔵用として使用する第２使用状態では、第１陳列部１６Ａのヒータ２０に通電して該陳列部１６Ａを加熱する。また図１および図３に示すように、第１陳列部１６Ａの温冷表示板２１を、温蔵表示２５を前面に向けて装着し、第２陳列部１６Ｂ〜第４陳列部１６Ｄの温冷表示板２１を、冷蔵表示２６を前面に向けて装着する。さらに、下側のダンパー３７で冷気窓３８を閉塞してダクト４を開放し、上側のダンパー３７で冷気窓３８を開放してダクト４を閉塞する。冷凍サイクルおよび循環ファン１０を駆動すると、蒸発器９で冷却されてダクト４を上昇する冷気が、上側のダンパー３７の閉塞板４１でせき止められて、上側の冷気窓３８内に位置する通風板４３の各通風口４４および左右両側の通風隙間５１から前向きに吹き出される。この冷気は、第１陳列部１６Ａの棚板１８の下面に沿って流れ、その前端部において風向板２７により下向きに変向され、吸込口５から吸い込まれる。つまり、第２陳列部１６Ｂ〜第４陳列部１６Ｄの前面に冷気のエアカーテンが形成される。
【００３５】
第２使用状態における各部の温度計測値と、比較対象として風向板２７を設けない場合の温度計測値をまとめて表１に示す。この計測は室温２７℃、湿度７０％の環境下で行った。表１において冷気窓３８と吸込口５の温度は、これらを通過する冷気の温度を計測したものであり、また、各陳列部１６Ｂ〜１６Ｄの温度は、当該陳列部１６Ｂ〜１６Ｄに陳列された複数の商品の温度を計測し、その平均温度を求めたものである。この表１では、風向板２７が有る場合の方が、無い場合に比べて各部の温度が低くなっており、この計測結果から、風向板２７が冷気の漏れ出しを防いでエアカーテンの形成を補助し、各陳列部１６Ｂ〜１６Ｄの温度を低下させる作用効果を奏することが分かる。
【００３６】
【表１】
0006476108.tif 000002
【００３７】
第２使用状態では、冷蔵用の第２陳列部１６Ｂの上方において、第１陳列部１６Ａの風向板２７が下向きに突出するため、第２陳列部１６Ｂの棚板１８上には比較的背の低い商品（例えば、３５０ｍＬの冷蔵用ペットボトル飲料）を陳列した方が、当該棚板１８をスムーズに引き出すことができる。一方、同じく冷蔵用の第３陳列部１６Ｃおよび第４陳列部１６Ｄの上方では風向板２７が突出しないため、両陳列部１６Ｃ・１６Ｄの棚板１８上には比較的背の高い商品を陳列しても、当該棚板１８を支障無く引き出すことができる。
【００３８】
（第３使用状態）  第１陳列部１６Ａおよび第２陳列部１６Ｂを温蔵用、第３陳列部１６Ｃおよび第４陳列部１６Ｄを冷蔵用として使用する第３使用状態では、第１陳列部１６Ａおよび第２陳列部１６Ｂのヒータ２０に通電して両陳列部１６Ａ・１６Ｂを加熱する。また図１０に示すように、第１陳列部１６Ａおよび第２陳列部１６Ｂの温冷表示板２１を、温蔵表示２５を前面に向けて装着し、第３陳列部１６Ｃおよび第４陳列部１６Ｄの温冷表示板２１を、冷蔵表示２６を前面に向けて装着する。さらに、下側のダンパー３７で冷気窓３８を開放してダクト４を閉塞する。上側のダンパー３７の姿勢は任意であるが、ここでは冷気窓３８を閉塞するものとした。冷凍サイクルおよび循環ファン１０を駆動すると、蒸発器９で冷却されてダクト４を上昇する冷気が、下側のダンパー３７の閉塞板４１でせき止められて、下側の冷気窓３８内に位置する通風板４３の各通風口４４および左右両側の通風隙間５１から前向きに吹き出される。この冷気は、第２陳列部１６Ｂの棚板１８の下面に沿って流れ、その前端部において風向板２７により下向きに変向され、吸込口５から吸い込まれる。つまり、第３陳列部１６Ｃおよび第４陳列部１６Ｄの前面に冷気のエアカーテンが形成される。
【００３９】
第３使用状態における各部の温度計測値と、比較対象として風向板２７を設けない場合の温度計測値をまとめて表２に示す。計測環境と各温度の計測方法は、先の表１のときと同様である。この表２でも、風向板２７が有る場合の方が、無い場合に比べて各部の温度が低くなっており、この計測結果から、風向板２７が冷気の漏れ出しを防いでエアカーテンの形成を補助し、各陳列部１６Ｃ・１６Ｄの温度を低下させる作用効果を奏することが分かる。
【００４０】
【表２】
0006476108.tif 000003
【００４１】
第３使用状態では、温蔵用の第２陳列部１６Ｂの上方において、第１陳列部１６Ａの風向板２７が下向きに突出し、さらに冷蔵用の第３陳列部１６Ｃの上方において、第２陳列部１６Ｂの風向板２７が下向きに突出するため、両陳列部１６Ｂ・１６Ｃの棚板１８上には比較的背の低い商品を陳列した方が、当該棚板１８をスムーズに引き出すことができる。ただし、主に温蔵の対象となる缶飲料や温蔵用ペットボトル飲料は、５００ｍＬの冷蔵用ペットボトル飲料よりも十分に背が低いことが一般的であるから、温蔵用の第２陳列部１６Ｂの上方で風向板２７が下向きに突出していても、風向板２７が棚板１８の引き出しの妨げになることは殆ど無い。また、冷蔵用の第４陳列部１６Ｄの上方では風向板２７が突出しないため、当該陳列部１６Ｄの棚板１８上には比較的背の高い商品を陳列しても、当該棚板１８を支障無く引き出すことができる。
【００４２】
（第４使用状態）  全陳列部１６Ａ〜１６Ｄを温蔵用として使用する第４使用状態では、各陳列部１６Ａ〜１６Ｄのヒータ２０に通電してこれを加熱するとともに、各陳列部１６Ａ〜１６Ｄの温冷表示板２１を、温蔵表示２５を前面に向けて装着する。冷凍サイクルおよび循環ファン１０は駆動しない。上下のダンパー３７の姿勢は任意である。この使用状態では、第２陳列部１６Ｂ〜第４陳列部１６Ｄの上方において、第１陳列部１６Ａ〜第３陳列部１６Ｃの風向板２７がそれぞれ下向きに突出するが、上述のように温蔵用の商品は一般的に比較的背が低いことから、風向板２７が棚板１８の引き出しの妨げになることは殆ど無い。なお、第４使用状態において必要があれば、循環ファン１０を駆動して各陳列部１６Ａ〜１６Ｄの前面に常温空気のエアカーテンを形成することができる。または、循環ファン１０を駆動するとともに、蒸発器９の除霜用のヒータに通電して、加熱空気のエアカーテンを形成することもできる。これらエアカーテンを形成する場合は、上下の冷気窓３８をダンパー３７で閉塞し、ダクト４を上下方向の全長にわたって連通させて、吹出口６から常温空気あるいは加熱空気が吹き出すようにすればよい。
【００４３】
次に、ショーケースの使用状態の変更作業について、具体例を挙げて説明する。全陳列部１６Ａ〜１６Ｄを冷蔵用とする第１使用状態から、第１陳列部１６Ａのみを温蔵用に切り換えて第２使用状態に変更する場合は、機械室１２に設けた不図示のスイッチを操作して、当該陳列部１６Ａのヒータ２０に通電する。また、第１陳列部１６Ａの温冷表示板２１を取り外して前後および上下に反転させ、温蔵表示２５を前面に向けて再装着するとともに、上側のダンパー３７を操作して、上側の冷気窓３８を開放しダクト４を閉塞する（図１参照）。これにより、ダクト４からの冷気の吹出位置を、吹出口６から上側の冷気窓３８に変更し、冷気のエアカーテンの形成位置を第２陳列部１６Ｂ〜第４陳列部１６Ｄの前面に変更することができる。第１陳列部１６Ａを温蔵用から再び冷蔵用に切り換える場合は、ヒータ２０のスイッチ、温冷表示板２１、およびダンパー３７について、上記と逆の操作を行う。
【００４４】
全陳列部１６Ａ〜１６Ｄを冷蔵用とする第１使用状態から、第１陳列部１６Ａおよび第２陳列部１６Ｂを温蔵用に切り換えて第３使用状態に変更する場合は、機械室１２に設けた不図示のスイッチを操作して、両陳列部１６Ａ・１６Ｂのヒータ２０に通電する。また、両陳列部１６Ａ・１６Ｂの温冷表示板２１を取り外して前後および上下に反転させ、温蔵表示２５を前面に向けて再装着するとともに、下側のダンパー３７を操作して、下側の冷気窓３８を開放しダクト４を閉塞する（図１０参照）。これにより、ダクト４からの冷気の吹出位置を、吹出口６から下側の冷気窓３８に変更し、冷気のエアカーテンの形成位置を第３陳列部１６Ｃおよび第４陳列部１６Ｄの前面に変更することができる。第１陳列部１６Ａと第２陳列部１６Ｂを温蔵用から再び冷蔵用に切り換える場合は、ヒータ２０のスイッチ、２個の温冷表示板２１、およびダンパー３７について、上記と逆の操作を行う。
【００４５】
以上のように本実施例では、温冷陳列部１６の温冷表示板２１の一方の長辺部２１ａに連続して風向板２７を設け、両者２１・２７を棚板１８の前端部に設けた支持枠３０で支持したので、両者２１・２７を別体とする場合に比べて、棚板１８の前端部の構造を簡素化することができる。また本実施例では、温冷表示板２１を装着溝３３から上方へ抜き出し、その前後および上下を反転させ、装着溝３３に再び差し込むだけの簡単な作業で、温冷表示板２１の前面側の表示内容と、風向板２７のスリット３４からの突出の有無を同時に変更できる。従って、温冷表示板の表示内容と風向板の位置を個別に行う必要があった従来のショーケースに比べて、温冷陳列部１６の温度状態の切り換えに付随する作業の手間を削減できる。なお上記の実施例では、全陳列部１６Ａ〜１６Ｄの温冷表示板２１を同一形状とし、それぞれが風向板２７を一体に備えるものとしたが、第３陳列部１６Ｃおよび第４陳列部１６Ｄの温冷表示板２１の風向板２７は、その機能を発揮する場面が無いことから、当該温冷表示板２１からは風向板２７を省略してもよい。
【００４６】
（第２実施例）  図１１および図１２は、温冷表示板２１の構造を変更した本発明の第２実施例を示す。本実施例では、温冷表示板２１の表裏に、一方の長辺部２１ａに沿って左右一対の円柱状のストッパー６１が突設されている。また、温冷表示板２１の他方の長辺部２１ｂの左右両端に、左右方向へ突出する舌片６２が形成されている。図１２（ａ）に示すように、温冷表示板２１の温蔵表示２５を前面に向けたときは、風向板２７がスリット３４から下方へ突出し、左右一対のストッパー６１がスリット３４の前後の下壁３１で受け止められる。図１２（ｂ）に示すように、温冷表示板２１の冷蔵表示２６を前面に向けたときは、左右一対の舌片６２がスリット３４の左右の下壁３１で受け止められる。他は第１実施例と同じであるので、同じ部材に同じ符号を付してその説明を省略する。以下の実施例においても同様とする。
【００４７】
（第３実施例）  図１３および図１４は、温冷表示板２１の構造を変更した本発明の第３実施例を示す。本実施例では、温冷表示板２１の左右両側に、下壁３１で受け止められる揺動レバー６５が設けてある。揺動レバー６５は、互いに直交する長片６６と短片６７を一体に備えるＬ字状に形成してある。長片６６は、温冷表示板２１の上下寸法とほぼ同一の長さ寸法を有し、短片６７に連続する端部と反対側の端部が、温冷表示板２１の他方の長辺部２１ｂ側の隅部に揺動ピン６８で連結してある。揺動レバー６５を揺動ピン６８のまわりに揺動させると、長片６６が温冷表示板２１の短辺部（左右辺部）に沿う起立姿勢（図１３に実線で示す）と、長片６６が他方の長辺部２１ｂの延長線に沿う横臥姿勢（図１３に想像線で示す）とに姿勢変更可能である。温冷表示板２１の一方の長辺部２１ａの左右両側には、起立姿勢における揺動レバー６５の短片６７の進入を許す切欠６９が形成してある。短片６７の前後寸法は、温冷表示板２１の前後厚みおよびスリット３４の前後幅より大きく設定してある。
【００４８】
温冷表示板２１の温蔵表示２５を前面に向けて装着するときは、図１４（ａ）に示すように揺動レバー６５を起立姿勢とする。これにより、風向板２７がスリット３４から下方へ突出する状態で、揺動レバー６５の短片６７の底面がスリット３４の前後の下壁３１で受け止められる。温冷表示板２１の冷蔵表示２６を前面に向けて装着するときは、図１４（ｂ）に示すように揺動レバー６５を横臥姿勢とする。これにより、揺動レバー６５の短片６７の側面がスリット３４の左右の下壁３１で受け止められる。
【００４９】
（第４実施例）  図１５および図１６は、温冷表示板２１と支持枠３０の構造を変更した本発明の第４実施例を示す。本実施例では、温冷表示板２１の一方の長辺部２１ａの左右両端部にストッパー７３が固定されて、その前後端が温冷表示板２１の表裏において突出している。また、支持枠３０の左右両側に、スリット３４を上面側から開閉するシャッター７４が設けてある。シャッター７４は前後スライド可能に設けられており、その移動ストロークの前端においてスリット３４の上面を開放し、後端においてスリット３４の上面に被さってこれを閉塞する。
【００５０】
温冷表示板２１の温蔵表示２５を前面に向けて装着するときは、シャッター７４を前方へスライドさせてスリット３４を開放する。これにより、図１６（ａ）に示すように、風向板２７がスリット３４から下方へ突出する状態で、ストッパー７３がスリット３４の前後の下壁３１で受け止められる。温冷表示板２１の冷蔵表示２６を前面に向けて装着するときは、シャッター７４を後方へスライドさせてスリット３４を閉塞する。これにより、図１６（ｂ）に示すように、温冷表示板２１の他方の長辺部２１ｂが左右のシャッター７４の上面で受け止められる。なお、本実施例の変更例として、冷蔵表示２６の上下の向きを温蔵表示２５と同じにすることができ、この場合は、温冷表示板２１の冷蔵表示２６を前面に向けたときに、風向板２７が温冷表示板２１の下側に位置して、風向板２７が左右のシャッター７４の上面で受け止められる。
【００５１】
図１７は、貯蔵室３に冷蔵専用の冷蔵陳列部１７を設けた本発明の別実施例を示す。具体的には、貯蔵室３の上部に２段の温冷陳列部１６が設けられ、貯蔵室３の下部に２段の冷蔵陳列部１７が設けられている。冷蔵陳列部１７は、温冷表示板２１が風向板２７を備えず、冷蔵表示２６を前面に向けた状態で棚板１８に分離不能に固定される点と、棚板１８にヒータ２０を内蔵しない点で、上側２段の温冷陳列部１６と異なる。この別実施例に係るショーケースは、全段を冷蔵用として使用する第１使用状態と、上側１段を温蔵用、下側３段を冷蔵用として使用する第２使用状態と、上側２段を温蔵用、下側２段を冷蔵用として使用する第３使用状態とに変更することができる。この別実施例から分かるように、本発明に係るショーケースは、貯蔵室３内の少なくとも上段側に温冷陳列部１６を備えていればよい。
【００５２】
上記の各実施例以外に、温冷表示板２１の全体を風向板２７よりも前後方向に厚く形成し、温冷表示板２１をスリット３４の前後の下壁３１で受け止めることができる。温冷表示板２１を着脱自在に支持する構造は支持枠３０に限られず、例えば、温冷表示板２１を棚板１８の前面にねじで直接固定する構造などであってもよい。また温冷陳列部１６において、ヒータ２０は省略することができる。この場合の温冷陳列部１６は、常温（ショーケースが設置される店舗等の室温）による貯蔵と冷蔵とに切り換え可能である。
【符号の説明】
【００５３】
３  貯蔵室
４  ダクト
５  吸込口
６  吹出口
１６  温冷陳列部
１８  棚板
２１  温冷表示板
２５  温蔵表示
２６  冷蔵表示
２７  風向板
２８  突出部
３０  支持枠
３１  下壁
３２  前壁
３３  装着溝
３４  スリット
３７  ダンパー
３８  冷気窓
【図１】
0006476108.tif 000004
【図２】
0006476108.tif 000005
【図３】
0006476108.tif 000006
【図４】
0006476108.tif 000007
【図５】
0006476108.tif 000008
【図６】
0006476108.tif 000009
【図７】
0006476108.tif 000010
【図８】
0006476108.tif 000011
【図９】
0006476108.tif 000012
【図１０】
0006476108.tif 000013
【図１１】
0006476108.tif 000014
【図１２】
0006476108.tif 000015
【図１３】
0006476108.tif 000016
【図１４】
0006476108.tif 000017
【図１５】
0006476108.tif 000018
【図１６】
0006476108.tif 000019
【図１７】
0006476108.tif 000020